(57)【要約】【課題】  個人撮影の映像もサーバに登録し、公開可能な端末（閲覧者）を限定して公開（流通）させる。【解決手段】  本発明のシステムは、個人が撮影した動画映像をパーソナル映像流通サーバに登録する手段を有する動画登録端末と、動画登録端末から登録された動画映像を記憶手段に格納する動画管理手段と動画管理手段に登録された動画映像を、公開が許可された特定者の動画閲覧端末に配信する動画公開手段と、動画管理手段内の共有許可されている動画映像を、動画閲覧端末に対して動画公開手段を介して配信する動画共有手段とを有するパーソナル映像流通サーバと、配信された動画映像を表示する手段と、配信された共有許可されている動画映像を再利用する手段と、を有する動画閲覧端末から構成される。【選択図】  図１
2006332990.tif 000002
【特許請求の範囲】
【請求項１】
ネットワークを介したパーソナル映像流通システムであって、
パーソナル映像流通サーバ、動画登録端末、及び動画閲覧端末とが前記ネットワークを介して接続され、
前記動画登録端末は、
個人が撮影した動画映像を前記パーソナル映像流通サーバに登録する手段を有し、
前記パーソナル映像流通サーバは、
前記動画登録端末から登録された前記動画映像を記憶手段に格納する動画管理手段と、
前記動画管理手段に登録された前記動画映像を、公開が許可された特定者の前記動画閲覧端末に配信する動画公開手段と、
前記動画管理手段に登録され共有許可されている動画映像を、共有が許可された特定者の前記動画閲覧端末に対して、前記動画公開手段を介して配信する動画共有手段と、を有し、
前記動画閲覧端末は、
前記パーソナル映像流通サーバから配信された前記動画映像を表示する手段と、
前記パーソナル映像流通サーバから配信された前記共有許可されている動画映像を再利用する手段と、
を有する、ことを特徴とするパーソナル映像流通システム。
【請求項２】
前記パーソナル映像流通サーバは、
前記動画登録端末から送信された動画ファイルの登録者情報を用いて登録者を認証し、認証できた場合には、該登録者情報、共有者情報、公開者情報及び該動画ファイルを前記動画管理手段の記憶手段に蓄積させ、また前記動画閲覧端末から送信された閲覧者情報に基づいて閲覧者を認証し、認証できた場合には、前記動画公開手段または、前記動画共有手段に対して動画の配信を指示するユーザ管理手段を有し、
前記動画公開手段は、
前記動画管理手段の前記記憶手段の前記公開者情報に基づいて、閲覧者に対して公開許可されているかを判定する手段を含み、
前記動画共有手段は、
前記動画管理手段の前記記憶手段の前記共有者情報に基づいて、動画の共有が許可されている閲覧者であるかを判定する手段を含む、請求項1記載のパーソナル映像流通システム。
【請求項３】
前記動画閲覧端末から取得した動画の加工情報に基づいて、前記動画映像を加工する動画加工手段と、
前記動画加工手段で加工された動画を取得し、前記動画管理手段の前記記憶手段に登録する動画再利用手段と、
を更に有する請求項１記載のパーソナル映像流通システム。
【発明の詳細な説明】
【技術分野】
【０００１】
本発明は、パーソナル映像流通システムに係り、特に、個人が撮影した動画映像をネットワークを介して流通させるパーソナル映像流通システムに関する。
【背景技術】
【０００２】
従来のコンテンツ流通システムは、コンテンツに対する権利の保護や対価の課金を管理するシステムが多いが、ここでは、個人が撮影した動画映像を中心とするコンテンツの登録の促進、ならびに、当該システムの利用を促進することに着目したパーソナル映像流通システムを対象とする。
【０００３】
従来の個人が撮影した写真を流通させるシステムには、いわゆる「プリクラ」（登録商標）と呼ばれるシール付写真（写真をシールとして貼ることができるもの）を印刷する自動写真撮影装置（例えば、特許文献１参照）や、自動写真撮影方法（例えば、特許文献２参照）等を用いたシール付写真製作システムがあり、広く普及している。
【０００４】
一方で、最近ではインターネットが広く普及し始め、一般家庭のパーソナルコンピュータから高速で安価にインターネットに常時接続できるようなっていると共に、携帯電話機からでもインターネットにアクセスできる環境が普及し始めている。動画映像撮影手段についても、デジタルビデオカメラだけでなく、デジタルカメラやカメラ付携帯電話機の機能拡充は目覚しく、写真だけでなく動画映像を撮影することができるデジタルカメラやカメラ付携帯電話機が広く普及し始めており、容易に写真や動画映像をデジタルデータの静止画（静止画ファイル）や動画（動画ファイル）として記録し、インターネット上で公開しやすくなってきている。
【０００５】
従来の個人が撮影した静止画や動画をネットワークを介して公開するシステムには、いわゆるブログと呼ばれる簡易に日記に類する記事形式のホームページに静止画や動画を付与して端末から登録し、インターネット上で公開するブログシステムがある。
【０００６】
また、いわゆるモバイルブログ（モブログ）と呼ばれるカメラ付携帯電話機から電子メールを用いて静止画や動画を含んだ記事をブログに登録し、公開するモブログシステムもある。
【特許文献１】特許第２９７７５３２号公報
【特許文献２】特許第２９７７５３３号公報
【発明の開示】
【発明が解決しようとする課題】
【０００７】
しかしながら、静止画は、内容が確認できる可搬媒体である写真やシール付写真として知人に配布・交換したり、写真帳に整理して知人にみせたりすることが可能であるが、動画は、２次元で表現しきれないため、写真やシール付写真を含め、内容が確認できる状態の可搬媒体で配布・交換することができない問題がある。これにより、写真専用システムである前述の従来のシール付写真制作システム等では動画映像を流通させることができない。
【０００８】
また、現状では、動画は、ビデオテープ、ＣＤ−ＲＯＭ、ＤＶＤ、メモリカード等の可搬記憶媒体を用いて配布・交換、整理が行われることが多く、媒体単体で内容が確認できないだけでなく、写真やシール付写真よりも高価で、複製にも手間がかかるため、特別な用途に限定して使われ、手軽に流通させることができない問題がある。
【０００９】
前述のような従来のブログシステムやモブログシステムでは、可搬媒体を介さず、ネットワークを介して、直接、電子媒体によって、手軽に動画を登録、公開することができる。
【００１０】
図４は一般的な流通モデル示し、図５は、従来のシール付写真制作システムの流通モデルを示し、図６は、従来のブログシステム及びモブログシステムの流通システムを示す。
【００１１】
しかし、図４に示すような個人が撮影した写真や動画映像の流通の観点で見た場合、
・従来のシール付写真製作システムは対象が写真に限定されるが、迅速にシール付写真を製作（流通モデルで言う「生産」に相当）できること；
・製作時に写真を補助的画像（いわゆる「フレーム」等）と複合する等の融通性を持った加工ができる（流通モデルで言う「付加価値」に相当）こと；
の効果の他、副次的な特徴として、
・製作したシール付写真は簡単に切り取ることができ、他人に配布・交換しやすい（流通モデルで言う「流通」に相当）こと；
・シールが付いているため写真帳等に整理しやすく、内容が確認できる状態の写真であるため他人に見せ合える（流通モデルで言う「消費（利用）に相当」）こと；
の要素を持っており、付加価値を伴った生産から流通を経て消費へ遷移し、そして、その消費が更なる生産へと「循環」する形で、それぞれの要素が効果的に流通を促進するように特徴付けられている。
【００１２】
これに対し、従来のブログシステムやモブログシステムでは、
・端末やカメラ付携帯電話機等から動画を手軽にシステムに登録できる（流通モデルで言う「生産」に相当）こと；
・ネットワークを介して公開できる（流通モデルで言う「流通」に相当）こと；
・端末や携帯電話機等のブラウザによって閲覧できる（流通モデルで言う「消費（利用）」）に相当こと；
の要素は持っているが、図６に示すように、「付加価値」に対する効果的な手段を持たず、更なる「生産」への「循環」を形成する構成となっていない問題がある。
【００１３】
また、ネットワークを介して公開する手段はあるものの、特定者に限定して公開、共有する手段を持たないことは「流通」要素として十分ではないという問題がある。
【００１４】
従来のブログシステムやモブログシステムにおいては、いわゆるトラックバックやコメントという手段を持つシステムがあり、テキストを中心とした記事の循環という観点では効果的とも言えるが、動画の循環の促進という観点では効果的とはいえない。
【００１５】
本発明は、上記の点に鑑みなされたもので、流通モデルでいう「生産」、「付加価値」、「流通」、「消費（利用）」、「循環」の全ての流通システムに重要な要素を効果的に構成することで、著しい融通性をもたらし手軽な動画映像の流通を可能にするパーソナル映像流通システムを提供することを目的とする。
【課題を解決するための手段】
【００１６】
図１は、本発明の原理構成図である。
【００１７】
本発明（請求項１）は、ネットワークを介したパーソナル映像流通システムであって、
パーソナル映像流通サーバ１００、動画登録端末２００、及び動画閲覧端末３００とがネットワーク４００を介して接続され、
動画登録端末２００は、
個人が撮影した動画映像をパーソナル映像流通サーバ１００に登録する手段を有し、
パーソナル映像流通サーバ１００は、
動画登録端末２００から登録された動画映像を記憶手段に格納する動画管理手段１２０と、
動画管理手段１２０に登録された動画映像を、公開が許可された特定者の動画閲覧端末３００に配信する動画公開手段１４０と、
動画管理手段１２０に登録され、共有許可されている動画映像を、共有が許可された特定者と共有するために動画閲覧端末３００に対して動画公開手段１４０を介して配信する動画共有手段１５０と、を有し、
動画閲覧端末３００は、
パーソナル映像流通サーバ１００から配信された動画映像を表示する手段と、
パーソナル映像流通サーバから配信された共有許可されている動画映像を再利用する手段と、を有する。
【００１８】
また、本発明（請求項２）は、パーソナル映像流通サーバ１００において、
動画登録端末２００から送信された動画ファイルの登録者情報を用いて登録者を認証し、認証できた場合には、該登録者情報、共有者情報、公開者情報及び該動画ファイルを動画管理手段１２０の記憶手段に蓄積させ、また動画閲覧端末３００から送信された閲覧者情報に基づいて閲覧者を認証し、認証できた場合には、動画公開手段１４０または、動画共有手段１５０に対して動画の配信を指示するユーザ管理手段を有し、
動画公開手段１４０は、
動画管理手段１２０の記憶手段の公開者情報に基づいて、閲覧者に対して公開許可されているかを判定する手段を含み、
動画共有手段１５０は、
動画管理手段１２０の記憶手段の共有者情報に基づいて、動画の共有が許可されている閲覧者であるかを判定する手段を含む。
【００１９】
また、本発明（請求項３）は、パーソナル映像流通サーバ１００において、
動画閲覧端末３００から取得した動画の加工情報に基づいて、動画映像を加工する動画加工手段と、
動画加工手段で加工された動画を取得し、動画管理手段１２０の記憶手段に登録する動画再利用手段と、を更に有する。
【発明の効果】
【００２０】
上記のように、本発明によれば、図２に示すように、個人が撮影した動画映像をシステムに登録するための手段（動画登録端末）が、流通モデルでいう「生産」に相当し、登録された動画映像を加工する手段（動画加工手段）が、流通モデルでいう「付加価値」に相当し、登録された動画映像を特定者に公開する手段（動画公開手段）と、登録された動画映像を特定者との間で共有する手段（動画共有手段）が、流通モデルでいう「流通」に相当し、登録された動画映像を閲覧する手段（動画閲覧端末）が、流通モデルでいう「消費（利用）」に相当し、共有された動画映像を再利用する手段が、流通モデルで言う「循環」に相当し、流通モデルでいう「生産」、「付加価値」、「流通」、「消費（利用）」、「循環」の全ての流通システムに重要な要素を構成することにより、閉じたシステムの中で著しい融通性をもたらし、手軽に個人が撮影した動画映像の流通促進を図ることができるという効果がある。
【００２１】
特に、登録された動画映像を特定者に公開することは、不特定多数の一般には公開したくないが、知人や家族が写っている人等に限定すれば公開したいという要望に応え、実社会において写真やビデオを見せる状況にも一致するため、利用者が理解しやすく、受け入れ易い効果がある。
【００２２】
また、登録された動画映像を共有し、再利用できることは、動画映像を撮影していない利用者や動画映像を撮影する手段を持たない利用者でも、動画映像を自分なりに加工して公開することができ、動画映像の利用が促進される効果があり、更には、動画映像を共有している利用者間でコミュニティを形成することにもなり、システムの利用が活性化する効果がある。
【００２３】
上記に示したように、シール付写真制作システムによってもたらされる個人で撮影した写真の流通の促進と同等以上に個人で撮影した動画映像の流通の促進を得る効果がある。
【発明を実施するための最良の形態】
【００２４】
以下、図面と共に本発明の実施の形態を説明する。
【００２５】
図３は、本発明の一実施の形態におけるパーソナル映像流通システムの構成を示す。
【００２６】
同図に示すパーソナル映像流通システムは、パーソナル映像流通サーバ１００、動画登録端末２００、動画閲覧端末３００がネットワーク４００に接続されている構成である。
【００２７】
動画登録端末２００は、専用の端末装置によって構成されていてもよいし、動画撮影機能を持つカメラ付携帯電話機によって構成されていてもよいし、デジタルビデオカメラや動画撮影機能付デジタルカメラ等の動画撮影装置から動画を入力する機能と通信機能を有するパーソナルコンピュータや端末（ＰＤＡ）等の汎用情報機器によって構成されてもよい。
【００２８】
動画登録端末２００は、端末に内蔵されたカメラから蓄積した動画フィルム、もしくは、外部の動画撮影装置から入力された動画ファイルに加え、登録者情報、公開者情報、共有者情報、動画加工情報を、パーソナル映像流通サーバ１００にネットワーク４００を介して送信する。公開者情報、共有者情報、動画加工情報は省略することができ、後で動画閲覧端末から情報を修正したり、動画加工することもできる。
【００２９】
送信方法は、メールに動画ファイルを添付して送信してもよいし、ブラウザのhttpプロトコル、もしくは、ftpプロトコル等を用いて送信してもよいし、専用のプログラムによって送信してもよい。
【００３０】
動画閲覧端末３００は、専用の端末装置によって構成されてもよいし、通信機能を持つパーソナルコンピュータや端末装置（ＰＤＡ）やブラウザ付携帯電話機等の汎用情報機器によって構成されてもよい。動画閲覧端末３００は、動画登録端末２００と同一であってもよいし、異なる装置であってもよい。
【００３１】
動画閲覧端末３００は、内蔵するブラウザ、もしくは、専用プログラムによって、パーソナル映像流通サーバ１００にネットワーク４００を介して閲覧者情報を送信し、自分で登録した動画、もしくは、閲覧者に対して公開許可された動画、もしくは、閲覧者に対して共有許可された動画を閲覧することができる。
【００３２】
自分で登録した動画に対しては、公開者情報、共有者情報を修正したり、動画の加工情報をパーソナル映像流通サーバ１００に送信し、動画の加工を行うことができる。
【００３３】
共有された動画に対しては、動画の加工情報をパーソナル映像流通サーバ１００に送信し、動画の加工を行うことができる。
【００３４】
パーソナル映像流通サーバ１００は、ユーザ管理部１１０、動画管理部１２０、動画加工部１３０、動画公開部１４０、動画共有部１５０、動画再利用部１６０から構成される。
【００３５】
ユーザ管理部１１０は、動画登録端末２００から送信された動画ファイルの登録者情報によって認証し、登録できる場合は、動画管理部１２０で動画ファイルと登録者情報、公開者情報、共有者情報を動画管理部1２０で蓄積管理させる。加工情報がある場合は、動画加工部１３０で加工情報に基づき動画を自動加工させてもよい。
【００３６】
また、ユーザ管理部１１０は、動画閲覧端末３００から送信された閲覧者情報によって認証し、認証できた場合には、動画公開部１４０、動画共有部１５０での動画の配信を許可する。
【００３７】
動画管理部１２０は、ディスク装置やメモリ等の記憶手段において、動画ファイルと登録者情報、公開者情報、共有者情報を蓄積管理する。
【００３８】
動画加工部１３０は、動画閲覧端末３００から送信された加工情報に基づき、動画管理部１２０の記憶手段に格納されている動画を加工し、動画再利用部１６０に加工した後の動画を渡す。動画の加工方法としては、
・動画の不要区間の削除；
・動画に既に登録されている別の補助的画像（静止画・動画）を挿入；
・テロップ・アフレコの挿入；
等の、動画事態を変形する方法や、
・動画の要約映像を生成；
・動画の代表画像の生成；
・動画のパノラマ画像の生成；
等、動画から別の動画や静止画等を生成して、元の動画と関連付けして管理、表示する方法等も可能である。
【００３９】
動画公開部１４０は、自分で登録した動画、もしくは、閲覧者に対して公開許可されている動画、もしくは、動画共有部１５０で共有許可されている動画を判断し、動画閲覧端末３００に公開配信する。
【００４０】
動画の一覧は、リストで表示してもよいし、動画の代表画像を自動生成して表示してもよいし、または、動画加工部１３０で生成した関連付けされている静止画を表示してもよい。動画閲覧端末３００において動画を選択して、閲覧することができるように公開配信する。
【００４１】
動画共有部１５０は、動画管理部１２０の記憶手段に格納されている共有者情報を参照して、共有許可されている動画を判断し、動画公開部１４０を介して共有者となっている動画閲覧端末３００に公開配信したり、動画加工部１３０で動画の加工ができるようにする。
【００４２】
動画再利用部１６０は、加工された動画を動画管理部１２０に登録する。加工後の動画ファイルは、加工前の動画ファイルと置き換えてもよいし、別の動画ファイルとして管理してもよいし、または、いずれかを選択できるようにしてもよい。
【００４３】
なお、本発明は、上記の実施の形態に限定されることなく、特許請求の範囲内において、種々変更・応用が可能である。
【産業上の利用可能性】
【００４４】
個人が撮影した動画映像を流通させるシステムに適用可能である。
【図面の簡単な説明】
【００４５】
【図１】本発明の原理構成図である。
【図２】本発明の効果を説明するための図である。
【図３】本発明の一実施の形態におけるパーソナル映像流通システムの構成図である。
【図４】一般的な流通モデルを示す図である。
【図５】従来のシール付写真制作システムの流通モデルを示す図である。
【図６】従来のブログシステム及びモブログシステムの流通モデルを示す図である。
【符号の説明】
【００４６】
１００  パーソナル映像流通サーバ
１１０  ユーザ管理部
１２０  動画管理手段、動画管理部
１３０  動画加工部
１４０  動画公開手段、動画公開部
１５０  動画共有手段、動画共有部
１６０  動画再利用部
２００  動画登録端末
３００  動画閲覧端末
４００  ネットワーク
【図１】
2006332990.tif 000003
【図２】
2006332990.tif 000004
【図３】
2006332990.tif 000005
【図４】
2006332990.tif 000006
【図５】
2006332990.tif 000007
【図６】
2006332990.tif 000008